(57)【要約】【課題】外気温に拘わらず、運転時に発生する洗濯槽の振動を充分に吸収することができる洗濯機を提供する。【解決手段】洗濯槽２内の温度が低温である場合に、ベローズ１２を加熱することによって、ベローズ１２の弾性係数を大きくし、弾性力を向上させて、運転時、特に脱水運転時に発生する振動をベローズ１２にて確実に吸収することができる。そのため外気温に拘わらず、洗濯槽２から外箱１への振動の伝播が防止され、静音化を実現することができる。【選択図】図２
2011239939.tif 000002
【特許請求の範囲】
【請求項１】
洗濯物を投入する投入口を有する外箱と、該外箱に収容されており、前記投入口に対向する開口を有する洗濯槽と、該洗濯槽に収容されており、洗濯物を投入されて回転する回転ドラムと、前記開口及び投入口の間にて振動を吸収する緩衝材とを備える洗濯機において、
前記洗濯槽内の温度を検出する検出手段と、
前記緩衝材を加熱する加熱手段と、
前記加熱手段の駆動を制御する制御手段と
を備え、
前記制御手段は、前記検出手段によって所定温度より低い温度が検出された場合に、前記加熱手段を駆動するようにしてあること
を特徴とする洗濯機。
【請求項２】
前記制御手段はタイマを備え、該タイマによって、前記加熱手段の駆動開始後に所定時間の経過を計時した後に、前記加熱手段の駆動を停止するようにしてあること
を特徴とする請求項１に記載の洗濯機。
【請求項３】
前記制御手段は、前記加熱手段の駆動が開始された後に、前記検出手段によって所定温度より高い温度が検出された場合に前記加熱手段の駆動を停止するようにしてあること
を特徴とする請求項１に記載の洗濯機。
【請求項４】
前記加熱手段は、
温風を吹出す吹出口を有する吹出管と、
該吹出管にて熱を供給する熱源と
を備え、
前記吹出口を前記緩衝材に向けてあること
を特徴とする請求項１から３のいずれか一つに記載の洗濯機。
【発明の詳細な説明】
【技術分野】
【０００１】
本発明は、洗濯槽内で回転する回転ドラムに投入された洗濯物を洗濯、すすぎ及び脱水する洗濯機に関する。
【背景技術】
【０００２】
近年、斜めドラム式の洗濯機が広く普及している。この洗濯機は、外装を構成する外箱の内部に洗濯槽及び回転ドラムを備えている。外箱の前面には、洗濯槽の開口を臨む位置に、蓋体により開閉自在に洗濯物の投入口が開設されている。この投入口と洗濯槽の開口との間は、ベローズにより液密に封止されている。この洗濯槽の内部に、有底円筒形の回転ドラムが一側の開口を洗濯槽の開口と同側に向けて同軸上での回転可能に配してある。洗濯物は、洗濯槽及び回転ドラムの開口を経て回転ドラムの内部に投入され、洗濯槽の底部に溜まる洗濯水に浸されて、回転ドラムの回転による持ち上げ及び落下を繰り返して洗濯される（例えば特許文献１参照）。
【０００３】
洗濯機は、以上の洗濯運転の終了後、すすぎ運転及び脱水運転を実行する。脱水運転においては、洗濯運転及びすすぎ運転に比べて大きな振動が発生するが、前記ベローズによって振動が吸収され、静音化を図ることができる。
【先行技術文献】
【特許文献】
【０００４】
【特許文献１】特開２００８−１９４０９０号公報
【発明の概要】
【発明が解決しようとする課題】
【０００５】
一般にベローズはゴムなどの合成樹脂によって構成されており、温度によってその弾性係数が変化する。そのため冬場などの低温時においては、弾性係数が小さくなり、振動を充分に吸収できない場合があった。
【０００６】
本発明は斯かる事情に鑑みてなされたものであり、外気温に拘わらず、運転時に発生する洗濯槽の振動を充分に吸収することができる洗濯機を提供することを目的とする。
【課題を解決するための手段】
【０００７】
本発明に係る洗濯機は、洗濯物を投入する投入口を有する外箱と、該外箱に収容されており、前記投入口に対向する開口を有する洗濯槽と、該洗濯槽に収容されており、洗濯物を投入されて回転する回転ドラムと、前記開口及び投入口の間にて振動を吸収する緩衝材とを備える洗濯機において、前記洗濯槽内の温度を検出する検出手段と、前記緩衝材を加熱する加熱手段と、前記加熱手段の駆動を制御する制御手段とを備え、前記制御手段は、前記検出手段によって所定温度より低い温度が検出された場合に、前記加熱手段を駆動するようにしてあることを特徴とする。
【０００８】
本発明においては、洗濯槽内の温度が低温である場合に、緩衝材を加熱し、弾性係数を大きくして弾性力を向上させる。
【０００９】
本発明に係る洗濯機は、前記制御手段はタイマを備え、該タイマによって、前記加熱手段の駆動開始後に所定時間の経過を計時した後に、前記加熱手段の駆動を停止するようにしてあることを特徴とする。
【００１０】
本発明においては、所定時間加熱することによって、緩衝材の弾性力を、運転時、特に脱水運転時における振動を吸収することができるように向上させる。
【００１１】
本発明に係る洗濯機は、前記制御手段は、前記加熱手段の駆動が開始された後に、前記検出手段によって所定温度より高い温度が検出された場合に前記加熱手段の駆動を停止するようにしてあることを特徴とする。
【００１２】
本発明においては、緩衝材の加熱を開始した後に、洗濯槽内の温度が予め設定された閾値に到達するまで緩衝材を加熱し、緩衝材の弾性力を確実に向上させる。
【００１３】
本発明に係る洗濯機は、前記加熱手段は、温風を吹出す吹出口を有する吹出管と、該吹出管にて熱を供給する熱源とを備え、前記吹出口を前記緩衝材に向けてあることを特徴とする。
【００１４】
本発明においては、温風を緩衝材に直接的に接触させることによって、緩衝材の温度を確実に向上させる。
【発明の効果】
【００１５】
本発明に係る洗濯機にあっては、洗濯槽内の温度が低温である場合に、緩衝材を加熱することによって、弾性係数を大きくし、弾性力を向上させて、運転時、特に脱水運転時に発生する振動を緩衝材にて確実に吸収する。そのため外気温に拘わらず、洗濯槽から外箱への振動の伝播が防止され、静音化を実現することができる。
【図面の簡単な説明】
【００１６】
【図１】実施の形態１に係る洗濯機の外観を略示する斜視図である。
【図２】洗濯機の内部構成を略示する縦断面図である。
【図３】洗濯槽の後側から見た循環風路の平面図である。
【図４】運転制御部を略示するブロック図である。
【図５】運転制御部による加熱処理を示すフローチャートである。
【図６】実施の形態２に係る洗濯機の運転制御部による加熱処理を示すフローチャートである。
【図７】実施の形態３に係る洗濯機の前行ダクトの先端部付近を略示する拡大縦断面図である。
【図８】運転制御部による加熱処理を示すフローチャートである。
【発明を実施するための形態】
【００１７】
（実施の形態１）
以下本発明を実施の形態１に係る洗濯機を示す図面に基づいて詳述する。図１は、洗濯機の外観を略示する斜視図、図２は、洗濯機の内部構成を略示する縦断面図である。
【００１８】
図２に示すように本発明に係る洗濯機は、外装を構成する外箱１の内部に洗濯槽２及び回転ドラム３を備えている。洗濯槽２は、一側に開口２０を備える大径の有底円筒体であり、外箱１の底面に立設された複数本の支持脚２１（１本のみ図示）により、前記開口２０の側を上とし、水平面に対して軸心を傾けた傾斜姿勢を保って弾性支持されている。
【００１９】
外箱１の前面（図２の左側面）には、洗濯槽２の開口２０を臨む位置に、蓋体１０により開閉自在に洗濯物Ａの投入口１１が開設されており、この投入口１１と洗濯槽２の開口２０との間は、ゴムなどの合成樹脂からなり、弾性を有するベローズ（緩衝材）１２により液密に封止されている。なお本願出願人は、洗濯槽２の開口２０にも蓋体（内蓋）を設け、この蓋板が、外箱１の投入口１１の蓋体１０（外蓋）と連動して開閉される蓋構造を先に提案しており、本発明の洗濯機においても同様の蓋構造を採用し得ることは言うまでもない。
【００２０】
洗濯槽２の内部には、回転ドラム３が収容されている。回転ドラム３は、洗濯槽２よりもやや小径の有底円筒体であり、一側の開口３０を洗濯槽２の開口２０の内側に臨ませ、洗濯槽２の底部中央に固設されたドラムモータ４の出力軸４０の端部に連結してあり、該ドラムモータ４の駆動により、洗濯槽２の内部にて回転するように構成されている。
【００２１】
また回転ドラム３の後側において、洗濯槽２の天面部に洗濯槽２内の温度を検出する温度センサ６０が設けてある。該温度センサ６０の出力は後述する運転制御部１６に入力される。
【００２２】
回転ドラム３は、開口３０の外側に周設された流体バランサ３１を備えている。該流体バランサ３１は、回転ドラム３の回転時に、これに伴う振動を吸収、緩和する作用をなす。ドラムモータ４は、洗濯槽２の底板の外側に連設されたモータ室４１の内部に構成してある。ドラムモータ４の出力軸４０は、洗濯槽２の底板を液密に貫通し、該底板の中央に突出しており、回転ドラム３は、この突出端部に連結してある。
【００２３】
図２に示すように回転ドラム３の周壁には、多数の小孔３２が全面に亘って貫通形成されており、また回転ドラム３の内面には、軸長方向に延びるバッフル３３が周方向に等配をなして複数突設されている。なお図２中には、図面の煩雑化を避けるべく、小孔３２の一部と一つのバッフル３３のみを図示してある。
【００２４】
図１に示すように、外箱１の前面には、蓋体１０の近傍にドア開ボタン１３が設けてある。また蓋体１０には、該蓋体１０の閉止時に押圧操作するための押圧部１４が設けてある。蓋体１０は、ドア開ボタン１３の操作により開放され、また周縁部を把持して閉操作し、前記押圧部１４を外側から押すことにより閉止される。外箱１の前面に設けた投入口１１は、洗濯槽２及び回転ドラム３の開口２０，３０に臨ませてある。
【００２５】
以上の如く構成された洗濯機の洗濯運転は、外箱１前面の蓋体１０により投入口１１を開放して洗濯物Ａを投入し、該蓋体１０を閉止した後、後述するように、洗濯槽２の内部に洗濯水を給水し、ドラムモータ４を駆動して回転ドラム３を回転せしめて実施される。前述のように回転ドラム３の周壁には、多数の小孔３２が貫通形成され、また回転ドラム３の内面には、複数のバッフル３３が突設されているため、回転ドラム３の内部の洗濯物Ａは、前記小孔３２を経て回転ドラム３内に流入する洗濯水中に浸され、前記バッフル３３の作用による持ち上げ及び落下を含めて洗濯水と共に攪拌されて洗濯される。
【００２６】
図１に示すように、外箱１の前面上部には、各種の操作のための操作キー及び各種の表示のための表示部を備える操作パネル１５が設けてある。該操作パネル１５は、これの内側に位置して外箱１の内部に設けた運転制御部１６（図２参照）に接続してあり、前述した洗濯運転、及び後述する乾燥運転、更には、これらの間に実施されるすすぎ運転及び脱水運転は、操作パネル１５の操作に応じた運転制御部１６の動作により実行される。
【００２７】
外箱１の後部上面には、水道への接続端となる給水口１７が設けてあり、該給水口１７は、外箱１の内側に設けた給水弁１８に接続されている。給水弁１８は、複数の給水出口を有する多連形の電磁弁である。給水弁１８の第１給水出口は、給水管１９を介して洗濯槽２の底板近傍の上部周面に接続されており、給水弁１８が第１給水出口に切り換えられた場合、給水口１７への給水は、給水弁１８及び給水管１９を経て洗濯槽２の内部に供給され、前述した洗濯運転における洗濯水として使用される。なお給水管１９の中途には、公知のように洗剤ケースを配置し、給水と共に適量の洗剤が導入されるように構成することができる。
【００２８】
また洗濯槽２には、最下位置となる底板近傍の周面に導水管２２が接続されており、この導水管２２は、外箱１内側の前下部に固定支持された筒形のフィルタケース２３に接続されている。フィルタケース２３の内部には、繊維屑等の異物を捕捉するリントフィルタ２４が収容されている。フィルタケース２３の下部は、排水弁２５を介して外箱１の底面に沿って敷設された排水管２６に接続されている。またフィルタケース２３の後端部には、循環ポンプ２７が付設してあり、該循環ポンプ２７の吐出側は、戻し管２８を介して洗濯槽２の前側上部に連通されている。
【００２９】
洗濯槽２内に給水される洗濯水は、導水管２２を経てフィルタケース２３に導入され、該フィルタケース２３の内部に充満する。フィルタケース２３の内部の洗濯水は、循環ポンプ２７を駆動することにより、該循環ポンプ２７に吸い込まれて昇圧され、戻し管２８を経て洗濯槽２の上部に送られ、該戻し管２８の先端から回転ドラム３の内部に給水される。
【００３０】
循環ポンプ２７は、前述した洗濯運転中に連続又は間欠的に駆動される。この駆動により回転ドラム３内に給水される洗濯水は、該回転ドラム３内の洗濯物Ａに降り注ぎ、洗濯効果を高めるべく作用する。フィルタケース２３の内部に設けたリントフィルタ２４は、以上のように循環する洗濯水中に含まれる繊維屑等の異物を捕捉、除去する作用をなす。
【００３１】
フィルタケース２３の下部に設けられた排水弁２５は、洗濯運転の後に開放される。この開放により洗濯槽２内部の洗濯水は、導水管２２及びフィルタケース２３を経て排水管２６に排水される。この排水に際しても、洗濯水中に含まれる異物は、フィルタケース２３内のリントフィルタ２４に捕捉、除去され、排水管２６を経て下水管に排出される虞れがないから、環境負荷の軽減を図ることができる。
【００３２】
また洗濯機の乾燥運転は、以上の洗濯運転の後、すすぎ運転及び脱水運転を経て実施される。この乾燥運転においては、ドラムモータ４の駆動により回転ドラム３を回転させると共に、該回転ドラム３の内部に乾燥風が循環せしめられる。
【００３３】
図２中には、乾燥風の循環風路が略示してある。循環風路５は、洗濯槽２の下部底面に開設された導出口５０と、洗濯槽２の前部の開口２０の周縁部に開設された導入口５１とを上行ダクト５２と前行ダクト（吹出管）５３とにより連絡して構成されている。
【００３４】
図３は、洗濯槽２の後側から見た循環風路５の平面図である。上行ダクト５２は、ドラムモータ４が設けられた洗濯槽２の中央部から一側に偏倚した位置に設けてある。上行ダクト５２の下端部は、洗濯槽２の下位置近傍で横向きに屈曲され、導出口５０を覆うカバー管５４に蛇腹管５５を介して接続してある。蛇腹管５５は、弾性支持された洗濯槽２の振動を吸収し、固定支持された上行ダクト５２への伝播を防止すべく設けてある。
【００３５】
上行ダクト５２の上端部は、前行ダクト５３の後端部に連結してある。前行ダクト５３は、図２に示すように、洗濯槽２の上側の外箱１の内部空間に配してある。前行ダクト５３の前端部は、洗濯槽２の前側上部の周縁に開口する導入口５１に接続されている。また前行ダクト５３の中途部には、塵埃捕捉用のリントフィルタ５６、乾燥風を起風する送風ファン５７、及び乾燥風を加熱するＰＴＣ(Positive Temperature Coefficient)ヒータ５８（又はシーズヒータ）が、後側から前側にこの順に介装してある。
【００３６】
前記給水弁１８の第２給水出口は、冷却水管５９を介して上行ダクト５２に接続してあり、給水弁１８が第２給水出口に切り換えられた場合、給水口１７への給水は、冷却水管５９を経て上行ダクト５２の内部に供給されるようになしてある。
【００３７】
次に前記運転制御部１６の構成について説明する。図４は運転制御部１６を略示するブロック図である。
【００３８】
運転制御部１６は、共通バスを介して相互に接続されたＣＰＵ(Central Processing Unit)１６０、制御プログラムを格納するＲＯＭ(Read Only Memory)１６１、制御プログラムの実行に必要なデータを一時的に保持するＲＡＭ(Random Access Memory)１６２、制御プログラムの実行に必要なデータを格納する不揮発性メモリ１６３、入力インタフェース（入力Ｉ／Ｆ）１６４及び出力インタフェース（出力Ｉ／Ｆ）１６５を備える。
【００３９】
ＣＰＵ１６０は、ＲＡＭ１６２を作業領域として使用し、ＲＯＭ１６１に格納された制御プログラムをＲＡＭ１６２に読出して実行する。ＣＰＵ１６０は、タイマ１６０ａを内蔵しており、必要に応じて計時する。
【００４０】
不揮発性メモリ１６３は、ＥＥＰＲＯＭ(Electrically Erasable Programmable ROM)及びＥＰＲＯＭ(Erasable Programmable ROM)などからなる。不揮発性メモリ１６３には後述する基準値が予め格納してあり、基準値の大小は、温度の高低に対応している。基準値は、例えば１５℃に対応した値である。
【００４１】
運転制御部１６には、入力Ｉ／Ｆ１６４を介して温度センサ６０の検出値が入力される。また運転制御部１６は、出力Ｉ／Ｆ１６５を介して送風ファン５７及びＰＴＣヒータ５８に駆動信号又は停止信号を出力する。
【００４２】
運転制御部１６は、すすぎ運転の終了後に、温度センサ６０にて検出した洗濯槽２内の温度を取り込み、ベローズ１２を加熱する加熱処理を実行する。図５は運転制御部１６による加熱処理を示すフローチャートである。なお加熱処理の開始前において、タイマ１６０ａはリセットされているものとする。
【００４３】
運転制御部１６のＣＰＵ１６０は、すすぎ運転が終了するまで待機する（ステップＳ１：ＮＯ）。すすぎ運転が終了した場合（ステップＳ１：ＹＥＳ）、ＣＰＵ１６０は、温度センサ６０から洗浄槽２内の温度を示す検出値を取り込む（ステップＳ２）。次にＣＰＵ１６０は、不揮発性メモリ１６３を参照し、取り込んだ検出値が不揮発性メモリ１６３に格納した基準値以下であるか否かを判定する（ステップＳ３）。
【００４４】
取り込んだ検出値が基準値を超過している場合（ステップＳ３：ＮＯ）、ＣＰＵ１６０は加熱処理を終了する。取り込んだ検出値が基準値以下である場合（ステップＳ３：ＹＥＳ）、ＣＰＵ１６０は、送風ファン５７に駆動信号を出力し（ステップＳ４）、ＰＴＣヒータ５８に駆動信号を出力する（ステップＳ５）。なお検出値が基準値以下である場合、洗濯槽２内の温度は低く、ベローズ１２の弾性係数は小さい。
【００４５】
そしてＣＰＵ１６０は、タイマ１６０ａにて計時を開始し（ステップＳ６）、所定時間が経過するまで待機する（ステップＳ７：ＮＯ）。なお所定時間とは、送風ファン５７及びＰＴＣヒータ５８の駆動を開始してから、ベローズ１２の弾性係数が脱水運転時に洗濯槽２の振動を充分に吸収できる程度の大きさになるまでに要する時間をいう。
【００４６】
例えば送風ファン５７及びＰＴＣヒータ５８の駆動を開始してから洗濯槽２内の温度が４０〜５０℃程度に至るまでに要する時間又は送風ファン５７及びＰＴＣヒータ５８の駆動を開始してからベローズ１２の温度が２０℃程度に至るまでに要する時間が挙げられる。
【００４７】
所定時間が経過した場合（ステップＳ７：ＹＥＳ）、ＣＰＵ１６０は、送風ファン５７に停止信号を出力し（ステップＳ８）、ＰＴＣヒータ５８に停止信号を出力する（ステップＳ９）。そしてＣＰＵ１６０は、タイマ１６０ａをリセットする（ステップＳ１０）。
【００４８】
なおＣＰＵ１６０は、ステップＳ１０においてタイマ１６０ａをリセットした後に脱水運転を実行するか、又は脱水運転と並行して上記加熱処理を実行する。
【００４９】
実施の形態１に係る洗濯機にあっては、洗濯槽２内の温度が低温である場合に、ベローズ１２を加熱することによって、ベローズ１２の弾性係数を大きくし、弾性力を向上させて、運転時、特に脱水運転時に発生する振動をベローズ１２にて確実に吸収する。そのため外気温に拘わらず、洗濯槽２から外箱１への振動の伝播が防止され、静音化を実現することができる。
【００５０】
また所定時間加熱することによって、ベローズ１２は充分に加熱され、ベローズ１２の弾性力が向上するので、ベローズ１２は運転時、特に脱水運転時における振動を確実に吸収することができる。
【００５１】
実施の形態１に係る洗濯機における送風ファン５７及びＰＴＣヒータ５８は、乾燥運転においても使用されるが、ベローズ１２を加熱するための専用の加熱手段を設けてもよい。例えばベローズ１２に電熱線などの加熱手段を設けて加熱してもよい。
【００５２】
（実施の形態２）
以下本発明を実施の形態２に係る洗濯機を示す図面に基づいて詳述する。図６は、洗濯機の運転制御部１６による加熱処理を示すフローチャートである。なお運転制御部１６の不揮発性メモリ１６３には予め閾値が格納してあり、該閾値の大小は温度の高低に対応している。また閾値の大きさは、前述した基準値以上である。
【００５３】
運転制御部１６のＣＰＵ１６０は、すすぎ運転が終了するまで待機する（ステップＳ２１：ＮＯ）。すすぎ運転が終了した場合（ステップＳ２１：ＹＥＳ）、ＣＰＵ１６０は、温度センサ６０から洗浄槽２内の温度を示す検出値を取り込む（ステップＳ２２）。次にＣＰＵ１６０は、不揮発性メモリ１６３を参照し、取り込んだ検出値が不揮発性メモリ１６３に格納した基準値以下であるか否かを判定する（ステップＳ２３）。
【００５４】
取り込んだ検出値が基準値を超過している場合（ステップＳ２３：ＮＯ）、ＣＰＵ１６０は加熱処理を終了する。取り込んだ検出値が基準値以下である場合（ステップＳ２３：ＹＥＳ）、ＣＰＵ１６０は、送風ファン５７に駆動信号を出力し（ステップＳ２４）、ＰＴＣヒータ５８に駆動信号を出力する（ステップＳ２５）。
【００５５】
そしてＣＰＵ１６０は、温度センサ６０から洗浄槽２内の温度を示す検出値を取り込む（ステップＳ２６）。次にＣＰＵ１６０は、不揮発性メモリ１６３を参照し、取り込んだ検出値が不揮発性メモリ１６３に格納した閾値を超過しているか否かを判定する（ステップＳ２７）。検出値が閾値以下である場合（ステップＳ２７：ＮＯ）、ＣＰＵ１６０はステップＳ２６へ処理を戻す。
【００５６】
検出値が閾値を超過している場合（ステップＳ２７：ＹＥＳ）、ＣＰＵ１６０は、送風ファン５７に停止信号を出力し（ステップＳ２８）、ＰＴＣヒータ５８に停止信号を出力する（ステップＳ２９）。
【００５７】
実施の形態２に係る洗濯機にあっては、ベローズ１２の加熱を開始した後に、洗濯槽２内の温度が予め設定された閾値に到達するまでベローズ１２を加熱するので、ベローズ１２の弾性力を確実に向上させることができ、ベローズ１２によって脱水運転時における洗濯槽２の振動を吸収し、静音化を実現することができる。
【００５８】
実施の形態２に係る構成の内、実施の形態１と同様な構成については同じ符号を付し、その詳細な説明を省略する。
【００５９】
（実施の形態３）
以下本発明を実施の形態３に係る洗濯機を示す図面に基づいて詳述する。図７は、前行ダクト５３の先端部付近を略示する拡大縦断面図である。
【００６０】
前行ダクト５３は、その先端部に吹出口７０を備えている。吹出口７０は、円錐台形の筒体７１を備えている。筒体７１は、大径の開口側を洗浄槽２の内側に向けている。筒体７１の内側に複数のルーバ７２が、枢軸７３を介して並設してある。枢軸７３は、リンクなどからなる伝動部材７６を介してモータ７５の回転軸に連結してある。モータ７５の正逆回転によって、枢軸７３は回動し、ルーバ７２は、ベローズ１２側又は洗濯槽２の底面側に向く。
【００６１】
伝動部材７６には、ポテンショメータからなる位置検出センサ７６が設けてある。位置検出センサ７６の出力は、枢軸７３の軸芯を中心にしたルーバ７２の回動角度に対応している。モータ７５は位置検出センサ７６からの出力をフィードバック情報として駆動する。運転制御部１６は、出力Ｉ／Ｆ１６５を介してモータ７５に駆動信号を出力する。
【００６２】
図８は運転制御部１６による加熱処理を示すフローチャートである。なお加熱処理の実行前において、ルーバ７２の回動角度は初期角度であり、前行ダクト５３を通流する風は、ルーバ７２から洗濯槽２の底面に向けて吹き出される。
【００６３】
運転制御部１６のＣＰＵ１６０は、すすぎ運転が終了するまで待機する（ステップＳ３１：ＮＯ）。すすぎ運転が終了した場合（ステップＳ３１：ＹＥＳ）、ＣＰＵ１６０は、温度センサ６０から洗浄槽２内の温度を示す検出値を取り込む（ステップＳ３２）。次にＣＰＵ１６０は、不揮発性メモリ１６３を参照し、取り込んだ検出値が不揮発性メモリ１６３に格納した基準値以下であるか否かを判定する（ステップＳ３３）。
【００６４】
取り込んだ検出値が基準値を超過している場合（ステップＳ３３：ＮＯ）、ＣＰＵ１６０は加熱処理を終了する。取り込んだ検出値が基準値以下である場合（ステップＳ３３：ＹＥＳ）、ＣＰＵ１６０は、モータ７５に、駆動信号を出力する（ステップＳ３４）。このときルーバ７２の回動角度が初期角度から所定角度となるまで、位置検出センサ７７の出力をフィードバック情報としてモータ７５は回動し、停止する。前行ダクト５３を通流する温風は、ルーバ７２からベローズ１２に向けて吹き出される。
【００６５】
次にＣＰＵ１６０は、送風ファン５７に駆動信号を出力し（ステップＳ３５）、ＰＴＣヒータ５８に駆動信号を出力する（ステップＳ３６）。そしてＣＰＵ１６０は、タイマ１６０ａにて計時を開始し（ステップＳ３７）、所定時間が経過するまで待機する（ステップＳ３８：ＮＯ）。
【００６６】
所定時間が経過した場合（ステップＳ３８：ＹＥＳ）、ＣＰＵ１６０は、送風ファン５７に停止信号を出力し（ステップＳ３９）、ＰＴＣヒータ５８に停止信号を出力する（ステップＳ４０）。そしてＣＰＵ１６０は、タイマ１６０ａをリセットする（ステップＳ４１）。次にＣＰＵ１６０は、モータ７５に、駆動信号を出力する（ステップＳ４２）。このときルーバ７２の回動角度が所定角度から初期角度となるまで、位置検出センサ７７の出力をフィードバック情報としてモータ７５は回動し、停止する。前行ダクト５３を通流する風は、ルーバ７２から洗濯槽２の底面に向けて吹き出される。
【００６７】
実施の形態３に係る洗濯機は、温風をベローズ１２に直接的に吹き付けて接触させるので、ベローズ１２の温度が確実に上昇し、ベローズ１２の弾性係数が大きくなる。その結果、脱水運転時に発生する振動がベローズ１２によって確実に吸収され、静音化を実現することができる。
【００６８】
実施の形態３に係る洗濯機においては、吹出口７０はルーバ７２を有するが、ルーバ７２を設けずに吹出口７０をベローズ１２に向けてもよい。また吹出口７０を設けずに、前行ダクト５３の先端部を吹出口としてベローズ１２に向けてもよい。
【００６９】
実施の形態３に係る構成の内、実施の形態１又は２と同様な構成については同じ符号を付し、その詳細な説明を省略する。
【００７０】
以上説明した実施の形態は本発明の例示であり、本発明は特許請求の範囲の記載に基づいて定められる範囲内において種々変更した形態で実施することができる。
【符号の説明】
【００７１】
１  外箱
２  洗濯槽
１１  投入口
１２  ベローズ（緩衝材）
１６  運転制御部（制御手段）
１６０  ＣＰＵ
１６０ａ  タイマ
１６１  ＲＯＭ
１６２  ＲＡＭ
１６３  不揮発性メモリ
２０  開口
５３  前行ダクト（吹出管）
５８  ＰＴＣヒータ（熱源）
６０  温度センサ（検出手段）
７０  吹出口
【図１】
2011239939.tif 000003
【図２】
2011239939.tif 000004
【図３】
2011239939.tif 000005
【図４】
2011239939.tif 000006
【図５】
2011239939.tif 000007
【図６】
2011239939.tif 000008
【図７】
2011239939.tif 000009
【図８】
2011239939.tif 000010